(57)【要約】【課題】重量があって嵩張る充電ケーブルを、低コストでコンパクトかつ荷重バランス良く保持できる充電装置を提供すること。【解決手段】充電装置内に電力を引き込む引き込みケーブルと、充電ガン３を先端に有する充電ケーブル５とを備えた充電装置であって、該充電装置は、本体キャビネット１と、該本体を支持するスタンド部２から構成され、該スタンド部２の内部に、充電ケーブル収納部を設け、該充電ケーブル収納部には、収納状態の充電ケーブルの少なくとも一部を、キャビネットの外部から視認可能とする開口部を設けた。【選択図】図１
2010283946.tif 000002
【特許請求の範囲】
【請求項１】
充電装置内に電力を引き込む引き込みケーブルと、充電ガンを先端に有する充電ケーブルとを備えた充電装置であって、
該充電装置は、本体キャビネットと、該本体を支持するスタンド部から構成され、
該スタンド部の内部に、充電ケーブル収納部を設け、
該充電ケーブル収納部には、収納状態の充電ケーブルの少なくとも一部を、キャビネットの外部から視認可能とする開口部を設けたことを特徴とする充電装置。
【請求項２】
充電ケーブル収納部が、スタンド部を構成する背面板に対して垂直に突設した充電ケーブルの引っ掛け保持部であることを特徴とする請求項1記載の充電装置。
【請求項３】
充電ケーブルの引っ掛け保持部を、少なくとも上下２か所に設けたことを特徴とする請求項２記載の充電装置。
【請求項４】
充電ケーブル収納部の前面に、開閉自在の扉を設けたことを特徴とする請求項１〜３の何れかに記載の充電装置。
【請求項５】
引き込みケーブルと充電ケーブルとを識別する手段を備えたことを特徴とする請求項１〜４の何れかに記載の充電装置。
【請求項６】
充電装置内に区画部材を設け、引き込みケーブルと充電ケーブルとを、各々異なる区画に配置してケーブルの識別を行うことを特徴とする請求項５記載の充電装置。
【発明の詳細な説明】
【技術分野】
【０００１】
本発明は、電気自動車やプラグインハイブリッドカー等の充電に用いられる充電装置に関するものである。
【背景技術】
【０００２】
今後、急速に普及することが予想される電気自動車やプラグインハイブリッドカーには、車載電池への充電装置が必要である。充電にはＣＣＩＤと呼ばれる充電遮断装置を備えた専用のケーブルが用いられる。
【０００３】
この充電ケーブルは給電ケーブルの他に、充電装置と車との間の通信ケーブルを備えたものであり、直径が１ｃｍ程度と太く、長さは数ｍにも及ぶため、かなりの重量があるうえに、ケーブル剛性も大きく、嵩張るものである。このため重量のある充電ケーブルを車に常時積載しておくよりも、充電装置側に充電ケーブルをセットしておき、充電時に車に接続することが省エネルギーの観点からは合理的である。このように、充電装置に充電ケーブルを接続しておくタイプの充電装置においては、不使用時の充電ケーブルをコンパクトに保持できることが求められる。
【０００４】
不使用時の充電ケーブルを保持する技術に関し、充電ケーブルをコードリールに巻き取って収納する技術が開示されている（特許文献１）。しかし、前記のように、該充電ケーブルは剛性があって小径に巻けないため、かなりの大型のコードリールが必要であり、コスト高になる問題や、嵩張って外観上好ましくないという問題があった。
【０００５】
その他の方法で、充電用キャビネットの片側に引っ掛け式のケーブルホルダを突設し、不使用時の充電ケーブルを引っ掛けて保持する方法は、充電装置全体の荷重バランスの観点から好ましくないという問題があった。また、この場合、かなりの重量がある充電ケーブルの荷重に耐え得るケーブルホルダを設けなければならず、ケーブルホルダ自体が嵩張って外観上好ましくない上、引っ掛けた充電ケーブルが手前側にはみだして人の通行の邪魔になる問題もあった。
【先行技術文献】
【特許文献】
【０００６】
【特許文献１】実登３０７４２０８号公報
【発明の概要】
【発明が解決しようとする課題】
【０００７】
本発明の目的は前記問題を解決し、重量があって嵩張る充電ケーブルを、低コストでコンパクトかつ荷重バランス良く保持できる充電装置を提供することである。
【課題を解決するための手段】
【０００８】
前記課題解決を目的としてなされた本発明の充電装置は、充電装置内に電力を引き込む引き込みケーブルと、充電ガンを先端に有する充電ケーブルとを備えた充電装置であって、該充電装置は、本体キャビネットと、該本体を支持するスタンド部から構成され、該スタンド部の内部に、充電ケーブル収納部を設け、該充電ケーブル収納部には、収納状態の充電ケーブルの少なくとも一部を、キャビネットの外部から視認可能とする開口部を設けたことを特徴とするものである。
【０００９】
請求項２記載の発明は、請求項1記載の充電装置において、充電ケーブル収納部が、スタンド部を構成する背面板と平行に設けた、充電ケーブルの引っ掛け保持部であることを特徴とするものである。
【００１０】
請求項３記載の発明は、請求項２記載の充電装置において、充電ケーブルの引っ掛け保持部を、少なくとも上下２か所に設けたことを特徴とするものである。
【００１１】
請求項４記載の発明は、請求項１〜３の何れかに記載の充電装置において、充電ケーブル収納部の前面に、開閉自在の扉を設けたことを特徴とするものである。
【００１２】
請求項５記載の発明は、請求項１〜４の何れかに記載の充電装置において、引き込みケーブルと充電ケーブルとを識別する手段を備えたことを特徴とするものである。
【００１３】
請求項６記載の発明は、請求項５記載の充電装置において、充電装置内に区画部材を設け、引き込みケーブルと充電ケーブルとを、各々異なる区画に配置してケーブルの識別を行うことを特徴とするものである。
【発明の効果】
【００１４】
本発明の充電装置は、充電用のキャビネットの内側に充電ケーブルの収納部を設けたものであるから、充電ケーブルをキャビネットの内側に荷重バランス良く保持させておくことができる。このために充電用キャビネットとは別にコードリールを設ける必要はなく、またキャビネットの外側に引っ掛け部のような突出部分が無いので見栄えがよく、邪魔になることもない。
【００１５】
請求項２記載の発明によれば、充電ケーブル収納部をキャビネット背面と平行に設けたことによって、充電ケーブルを、更に荷重バランス良く保持することができる。
【００１６】
請求項３記載の発明によれば、充電ケーブルをコンパクトに巻き取り保持することができる。
【図面の簡単な説明】
【００１７】
【図１】本発明の実施形態１を示す全体図である。
【図２】図１の扉部を閉じた状態図である。
【図３】本発明の実施形態２を示す全体図である。
【発明を実施するための形態】
【００１８】
以下に本発明の実施形態を説明する。
【００１９】
（実施形態１）
図１は、実施形態１の全体図であり、１は充電装置の本体キャビネット、２はその下方に形成されたスタンド部である。本体キャビネット１の全面には、不使用時の充電ガン３を保持するガンホルダ４が形成されている。ガンホルダ４の前面には、開閉可能な扉７を備えている。本実施形態のスタンド部２は、箱体として形成され、その内部空間が充電ケーブル５の収納部となっている。スタンド部２の前面には、開閉可能な扉８を備えている。図１は、該扉８を開いた状態を示し、図２は、該扉８を閉じた状態を示している。
【００２０】
充電ケーブル５の２次側は充電ガン３と接続され、１次側は充電装置内の電力供給回路の２次側と接続している。また、充電装置内の電力供給回路の１次側は、電柱からの引込みケーブル（図示しない）と接続している。充電ケーブル５は、充電作業の作業性の観点から、十分な余長を持っている。なお、充電作業時に、該引込みケーブルを充電ケーブル５と誤って引っ張る等の事故を防止するために、図１に示す実施形態では、遮蔽部材９により、スタンド部２内の一部に引込みケーブル収納空間が形成されている。引込みケーブルと、充電ケーブル５の誤認を防止するその他の手段としては、ケーブルの色や太さにコントラストを持たせる方法や、スタンド部２内にダクトを配置する方法を採用することもできる。
【００２１】
スタンド部２の内部には、充電ケーブルの引っ掛け保持部６が形成されている。充電ケーブルの引っ掛け保持部６は、スタンド部２の背面板幅方向中心付近の上下２か所で、該背面板に対して垂直に突設されている。充電ケーブル５の余長部分を、これらの上下２か所の引っ掛け保持部６に、交互に引っ掛けながら巻き取っていくと、巻き取った充電ケーブル５の余長部分を、スタンド部２の背面板に対して、略平行に収納することができる。このように、収納することにより、かなりの重量がある充電ケーブル５を、コンパクトかつ荷重バランス良く保持することができる。
【００２２】
引っ掛け保持部６の両端部には、ループ形状規定部６ａを設け、剛性の大きい充電ケーブル５を、緩やかな彎曲を描くループを形成させながら巻き取ることが好ましい。これにより、巻き取り収納時に、該充電ケーブル５への負荷を小さくすることができる。また、引っ掛け保持部６の手前側には、充電ケーブル規制部６ｂを設け、充電ケーブル５が、引っ掛け保持部６から外れることなく安定に保持されるようにすることが好ましい。
【００２３】
図２に示すように、ガンホルダ４を覆う扉７を、該ガンホルダ４に保持された充電ガン３の一部が露出される位置に形成し、スタンド部２の扉８の上端部には、一部切り欠き部１０を設けておけば、該充電ガン３と充電ケーブル５の接続部周辺が外部から視認可能となり、充電作業者が迷うことなく充電ガン３を手に取ることができる。なお、該切り欠き部１０から露出する充電ケーブル５の長さを数メートルとして、通常の充電作業時に必要な長さを常に露出させておくこともできる。
【００２４】
（実施形態２）
図３は、実施形態２の全体図であり、１は充電装置の本体キャビネット、２はその下方に形成されたスタンド部である。本発明のスタンド部２は、充電装置の作業性を良くするために、本体キャビネット１を充電作業者の上半身位置あたりに配置する底上げ機能を有するものであって、その形状は、特に実施形態１の箱体には限定されない。本実施形態では、スタンド部２を２本の脚部として構成しているが、更に背面板を有するコ字状に形成してもよい。
【００２５】
また、スタンド部２を構成する該２本の脚部の間に形成される空間が、充電ケーブル５の収納部となっている。本実施形態では、充電ケーブルの引っ掛け保持部６が、片側の脚部２ａの上端部に突設されている。なお、本実施形態では、片側の脚部２ａ側に充電ケーブル５が保持されるが、もう一方の脚部２ｂを、内部空間を有する中空形状とし、その空間に引き込みケーブル（図示しない）を配置することにより、充電装置全体としての荷重バランスを良好に保っている。
【符号の説明】
【００２６】
１  本体キャビネット
２  スタンド部
２ａ  脚部
２ｂ  脚部
３  充電ガン
４  ガンホルダ
５  充電ケーブル
６  引っ掛け保持部
６ａ  ループ形状規定部
６ｂ  充電ケーブル規制部
７  扉
８  扉
９  遮蔽部材
１０  切り欠き部
【図１】
2010283946.tif 000003
【図２】
2010283946.tif 000004
【図３】
2010283946.tif 000005